(57)【要約】【課題】エレベータの利用者が操作せず、かつ利用者情報から登録する行先階を固定せず、自動的に行先階を変更するエレベータの呼び登録装置及びそのエレベータを提供する。【解決手段】  エレベータの情報送信手段が送信した利用者の識別情報により決定した行先階は、行先階登録部で登録されるエレベータの呼び登録装置において、利用者予定情報、現在時刻情報、及びエレベータ運行情報を取得する外部情報部が送信した利用者予定情報を記憶する外部情報記憶部と、外部情報記憶部が記憶した利用者予定情報からの行先階、及び利用者ＩＤ情報が決定した行先階に基づき、利用者予定情報からの行先階に変更する行先階変更部と、行先階変更部が変更した行先階または利用者の識別情報により決定した行先階を登録する行先階登録部と、を備えた。【選択図】          図２
2016060576.tif 000002
【特許請求の範囲】
【請求項１】
利用者を識別するための識別情報を読取る読取部と、
各利用者の識別情報に対応する行先階を記憶する行先階記憶部と、
前記利用者の予定情報に対応する行先階を記憶する外部情報記憶部と、
前記読取部が前記利用者の識別情報を読取った際に、前記読取部が読取った前記利用者の予定情報に対応する行先階が外部情報記憶部に記憶されるか否かを判断し、前記利用者の予定情報に対応する行先階が記憶されている場合、前記利用者の予定情報に対応する行先階に変更する行先階変更部と、
前記行先階変更部が変更した行先階を登録し、または、前記利用者の予定情報に対応する行先階が外部情報記憶部に記憶されていない場合、前記読取部が読取った前記利用者の識別情報に対応する行先階を登録する行先階登録部と、を備えることを特徴とするエレベータの呼び登録装置。
【請求項２】
前記行先階変更部は、前記読取部が前記利用者の識別情報を読取った際に、前記外部情報記憶部に記憶された前記利用者の予定情報から取得した時間に対応する行先階が日常の行動の時間帯であるか否かを判断し、
前記利用者の日常の行動の時間帯である場合、前記利用者の予定情報に対応する行先階に変更し、
前記行先階登録部は、前記行先階変更部が変更した行先階を登録し、または、前記利用者の予定情報に対応する行先階が前記利用者の日常の行動の時間帯でない場合、前記利用者の識別情報に対応する行先階を前記行先階登録部に登録することを特徴とする請求項１に記載のエレベータの呼び登録装置。
【請求項３】
利用者を識別するための識別情報を読取る読取部と、
各利用者の識別情報に対応する行先階を記憶する行先階記憶部と、
エレベータのかごが停止できない階を記憶する外部情報記憶部と、
前記読取部が前記利用者の識別情報を読取った際に、前記利用者の識別情報に対応する行先階が外部情報記憶部に記憶された前記エレベータのかごを停止できない階か否かを判断し、前記エレベータのかごを停止できない階である場合、事前設定された特定階に行先階を変更する行先階変更部と、
前記行先階変更部が変更した行先階を登録する行先階登録部と、を備えることを特徴とするエレベータの呼び登録装置。
【請求項４】
前記行先階変更部が、前記読取部で読取った前記利用者の情報に対応する行先階を変更する場合、変更理由または登録した行先階を報知する報知部を備えることを特徴とする請求項１から請求項３までのいずれか１項に記載のエレベータの呼び登録装置。
【請求項５】
前記請求項１から請求項４までのいずれか１項に記載したエレベータの呼び登録装置を備えることを特徴とするエレベータ。
【請求項６】
利用者の識別情報を読取る読取部と、
前記読取部が前記利用者の識別情報を読取る前に、各利用者の情報に対応する行先階を記憶する行先階記憶部と、
前記読取部が前記利用者の情報を読取る前に、前記利用者の予定情報に対応する行先階が記憶された外部情報記憶部と、
前記読取部が前記利用者の情報を読取った際に、
前記読取った前記利用者の乗車時の予定に対応する行先階が外部情報記憶部に記憶されている場合、前記利用者の予定に対応する行先階にエレベータのかごを停止させて、
前記読取った前記利用者の乗車時の予定に対応する行先階が外部情報記憶部に記憶されていない場合、前記利用者の情報に対応する行先階に前記エレベータのかごを停止させる制御部と、を備えたことを特徴とするエレベータ制御装置。
【請求項７】
利用者の識別情報を読取る第１のステップと、
前記第１のステップで前記利用者の識別情報を読取る前に、各利用者の識別情報に対応する行先階を記憶する第２のステップと、
前記第１のステップで前記利用者の識別情報を読取る前に、前記利用者の予定情報に対応する行先階を記憶する第３のステップと、
前記第１のステップで前記利用者の識別情報を読取った際に、
前記読取った前記利用者の乗車時の予定に対応する行先階が記憶されている場合、前記利用者の予定に対応する行先階にエレベータのかごを停止させて、
前記読取った前記利用者の乗車時の予定に対応する行先階が記憶されていない場合、前記利用者の識別情報に対応する行先階に前記エレベータのかごを停止させる第４のステップと、を備えたことを特徴とするエレベータ制御方法。
【発明の詳細な説明】
【技術分野】
【０００１】
この発明は、エレベータに関するものである。
【背景技術】
【０００２】
従来のエレベータの呼び登録装置は、利用者のＩＤ（ｉｄｅｎｔｉｆｉｃａｔｉｏｎ）カード等の利用者の個人情報を認証する。その後、従来のエレベータの呼び登録装置は、認証した前記利用者の個人情報を使い、利用者が搭乗するかごの行先階を自動的に決定して登録し、前記かごを行先階に停止するように制御する。
【０００３】
また、従来のエレベータの呼び登録装置は、利用者がエレベータの乗場付近に設置された行先階変更装置の認証装置を操作することにより、自動的に決定されたかごの行先階を変更、キャンセルすることもできる。
【０００４】
具体的には、第１の認証装置が、利用者の個人情報を認証し、かごの行先階を自動的に決定する。利用者は、第２の認証装置を操作することにより、第１の認証装置で自動的に決定されたかごの行先階を変更、またはキャンセルできる。
【０００５】
以上のとおり、従来のエレベータは、利用者が第１の認証装置で自動的に決定されたかごの行先階を利用者の操作により変更できるため、無駄な呼び登録を解消し、エレベータの運転効率の悪化を防止できる。上述のとおり、エレベータの呼び登録装置が、従来技術として開示されている。
【先行技術文献】
【特許文献】
【０００６】
【特許文献１】ＷＯ１２／００８０２４号公報
【発明の概要】
【発明が解決しようとする課題】
【０００７】
しかしながら、従来のエレベータの呼び登録装置では、利用者が、第１の認証装置で自動的に決定されたかごの行先階を、第２の認証装置で利用者個人の操作により変更またはキャンセルする。利用者個人が操作せず、エレベータが利用者ＩＤ情報から決定された行先階を自動的に変更またはキャンセルことができない問題があった。
【０００８】
この発明は、かかる課題を解決するためになされたものであって、利用者の利便性を向上するとともに、利用者のエレベータのかご待ち時間の短縮を図る目的とする。
【課題を解決するための手段】
【０００９】
この発明にかかるエレベータの呼び登録装置は、
利用者を識別するための識別情報を読取る読取部と、
各利用者の識別情報に対応する行先階を記憶する行先階記憶部と、
前記利用者の予定情報に対応する行先階を記憶する外部情報記憶部と、
前記読取部が前記利用者の識別情報を読取った際に、前記読取部が読取った前記利用者の予定情報に対応する行先階が外部情報記憶部に記憶されるか否かを判断し、前記利用者の予定情報に対応する行先階が記憶されている場合、前記利用者の予定情報に対応する行先階に変更する行先階変更部と、
前記行先階変更部が変更した行先階を登録し、または、前記利用者の予定情報に対応する行先階が外部情報記憶部に記憶されていない場合、前記読取部が読取った前記利用者の識別情報に対応する行先階を登録する行先階登録部と、を備えるものである。
【発明の効果】
【００１０】
この発明は、行先階を自動的に変更することにより、利用者の利便性を向上させるとともに、利用者のエレベータのかご待ち時間の短縮を図ることができる。
【図面の簡単な説明】
【００１１】
【図１】この発明に係る実施の形態１によるエレベータの呼び登録装置を示すブロック図である。
【図２】この発明に係る実施の形態１による図１の動作を示すフローチャートである。
【図３】この発明にかかる実施の形態１によるエレベータの呼び登録装置を示す他の処理流れのブロック図である。
【図４】この発明にかかる実施の形態１による図３の動作を示すフローチャートである。
【図５】この発明にかかる実施の形態２によるエレベータの呼び登録装置の動作を示すフローチャートである。
【図６】この発明にかかる実施の形態３によるエレベータの呼び登録装置の動作を示すフローチャートである。
【図７】この発明にかかる実施の形態４によるエレベータの呼び登録装置の動作を示すフローチャートである。
【発明を実施するための形態】
【００１２】
実施の形態１．
以下、図を用いてこの発明の実施の形態１について説明する。なお、この実施の形態１によりこの発明が限定されるものではない。
【００１３】
図１は、この発明に係る実施の形態１のエレベータの呼び登録装置を示すブロック図である。
【００１４】
図１において、１は、ＩＤカードや、ＩＣ（Ｉｎｔｅｇｒａｔｅｄ  Ｃｉｒｃｕｉｔ）タグなどといった内部に利用者ＩＤ情報を認証する情報送信部である。ここで、利用者ＩＤ情報とは、エレベータを使用できるものであるか否かを識別するための利用者の識別情報である。この情報送信部１で認証された利用者ＩＤ情報には、エレベータを使用できる利用者の所属部署、その所属部署の所在の階、その利用者の社員番号が含まれる。２は、エレベータの運行情報、現在時刻を取得するための時計、及び各利用者の予定情報のスケジューラを取得する外部情報部である。この外部情報部２の各利用者予定情報は、各利用者が端末を利用して自由に記入、変更できる。この外部情報部２は、ビル内の共有サーバで保管される。前記各利用者予定情報は、毎日の利用者の予定、その予定に対応する利用者の行先階が含まれる。または、前記各利用者予定情報は、利用者が所属グループの予定、その予定に対応する行先階が含まれる。例えば、利用者は、８月１日の１０時から１１階の会議室で会議のように、その日の時刻に対応する利用者の行先階が含まれる。または、グループ情報の場合は、８月１日の１０時から１１階の会議室で会議、会議を参加する社員番号のように、その日の時刻に対応するグループの行先階が含まれる。３は、情報送信部１と外部情報部２とに基づいて利用者が行きたい行先階を登録するエレベータの呼び登録装置である。４は、エレベータの制御盤である。
【００１５】
エレベータの呼び登録装置３は、読取部３ａ、行先階記憶部３ｂ、外部情報記憶部３ｃ、行先階変更部３ｄ、及び行先階登録部３ｅを備えている。
【００１６】
読取部３ａは、情報送信部１からの利用者ＩＤ情報を読み取るものである。行先階記憶部３ｂは、各利用者ＩＤ情報と関連付けた行先階を予め記憶するものである。例えば、社員番号０３１１１１２は対応する行先階１０階、社員番号１３２２２２３は対応する行先階１５階として記憶している。外部情報記憶部３ｃは、各利用者の予定情報に対応する行先階を記憶するものである。例えば、読取部３ａから利用者ＩＤ情報（例えば、社員番号）を入力し、ビル内の共有サーバで保管された外部情報部２にアクセスし、利用者ＩＤ情報に該当する前記利用者の予定情報（その日の時刻に対応する利用者の行先階）を記憶する。また、外部情報記憶部３ｃは、行先階記憶部３ｂにアクセスして、利用者ＩＤ情報に該当する行先階を記憶することができる。行先階変更部３ｄは、読取部３ａが利用者ＩＤ情報に対応する行先階を読取った際に、読取った利用者の予定情報に対応する行先階が外部情報記憶部３ｂに記憶されるか否かを判断し、外部情報記憶部３ｂが利用者の予定情報を記憶している場合、利用者ＩＤ情報と関連付けた行先階を、利用者の予定情報に対応する行先階に、変更するものである。行先階登録部３ｅは、利用者ＩＤ情報に対応する行先階、または行先階変更部３ｃが変更した行先階を登録するものである。
【００１７】
この実施の形態１に係るエレベータ呼び登録装置３は、外部情報部２から利用者予定情報に含まれる利用者の予定に該当する乗車時の行先階の有無を判断する。この判断の結果、外部情報部２から利用者予定情報に含まれる利用者の予定に該当する乗車時の行先階が有りの場合、利用者ＩＤ情報から登録された行先階を、外部情報部２から利用者予定情報に含まれる利用者の予定に該当する乗車時の行先階に変更するものである。
【００１８】
次に、情報送信部１と、外部情報部２とが送信した情報が、エレベータの呼び登録装置３を介してエレベータの制御盤４に伝送されるまでの一連動作を説明する。情報送信部１からの利用者ＩＤ情報、及び外部情報部２からの利用者予定情報は、エレベータの呼び登録装置３に伝送される。ここで、エレベータの呼び登録装置３の動作は、図２を用いて説明する。
【００１９】
図２は、エレベータの呼び登録装置３の動作のフローチャートである。図２において、ステップＳ１０１では、読取部３ａが情報送信部１からの利用者ＩＤ情報を読取り、読取った利用者ＩＤ情報を行先階記憶部３ｂに出力し、ステップＳ１０２Ａに進む。
【００２０】
ステップＳ１０２Ａでは、ステップＳ１０１で読取った利用者ＩＤ情報と、行先階記憶部３ｂが記憶した利用者ＩＤ情報と関連付ける行先階情報とに基づき、利用者の行先階を判定し、ステップＳ１０３Ａへ進む。例えば、読取った社員番号０３１１１１２に対応する行先階は、１１階であり、行先階記憶部３ｂが記憶された社員番号０３１１１１２に対応する行先階は１１階である場合、社員番号０３１１１１２の行先階は１１階である。
【００２１】
ステップＳ１０３Ａでは、外部情報記憶部３ｃが、ステップＳ１０１で読取った利用者ＩＤ情報に基づき、ビル内の共有サーバにアクセスした結果、外部情報部２からの利用者ＩＤ情報に該当する利用者予定情報の有無を判断する。外部情報部２からの利用者ＩＤ情報に該当する利用者予定情報が有りの場合、利用者ＩＤ情報に該当する利用者予定情報を外部情報記憶部３ｃが記憶する。外部情報記憶部３ｃが利用者予定情報を記憶した場合、ステップＳ１０４へ進む。一方、外部情報記憶部３ｃが利用者予定情報を記憶しない場合、ステップＳ１０７へ進む。ステップＳ１０３Ａでは、例えば、社員番号０３１１１１２に関連する利用者予定情報（１０時から７階の３０１室に会議、１４時から１０階の１０１室に講演会など）の有無を判断する。つまり、ステップＳ１０３Ａは、読取った利用者ＩＤに関連する利用者予定情報のみがあるか否かを判断するものである。一方、このステップＳ１０３Ａでは、利用者予定情報があるか否かを判断し、次のステップＳ１０４で、利用者予定情報から読み取った利用者ＩＤ情報に該当する行先階を判定することでもよい。
【００２２】
ステップＳ１０４では、外部情報部２が送信した利用者予定情報から現在時刻に該当する行先階を判定し、ステップＳ１０５へ進む。例えば、利用者予定情報には、現在時刻から会議、行先階は７階と示されている場合、ステップＳ１０４では、利用者予定情報から利用者の行先階として会議室階のある７階を行先階として判定する。
【００２３】
ステップＳ１０５では、情報送信部１からの利用者ＩＤ情報から判定された行先階と、外部情報部２からの利用者予定情報から判定された行先階とを判断し、一致しない場合、ステップＳ１０６へ進む。一致する場合、ステップＳ１０７へ進む。例えば、利用者ＩＤ情報から判定された行先階は、オフィス階であり、利用者予定情報（外部情報）から判定された行先階は、会議室階であり、これは一致しないものである。
【００２４】
ステップＳ１０６では、利用者ＩＤ情報から判定された行先階を、利用者予定情報から判定された行先階に優先的に変更し、ステップＳ１０７へ進む。例えば、利用者ＩＤ情報から判定された行先階はオフィス階であり、利用者予定情報から判定された行先階が会議室階である場合、オフィス階を会議室階に変更する。
【００２５】
ステップＳ１０７では、情報送信部１から読取った利用者ＩＤ情報の行先階、または上記ステップＳ１０６で利用者予定情報から判定された行先階を行先階登録部３ｅで登録する。
【００２６】
ステップＳ１０７で登録された行先階をエレベータの制御盤４に送信してエレベータの呼び登録装置３の動作処理は終了する。エレベータの制御盤４は、利用者が乗車したかごを登録された行先階に停止させる。
【００２７】
一方、この実施の形態１に係る他の実施例では、エレベータの呼び登録装置３を図３のとおり構成し、その図３のブロック図の各構成が、図４のフローチャートとおり動作、処理してもよい。ここで、この実施の形態１に係る他の実施例の動作について、図４を用いて説明する。なお、図１と図２の処理流れと変更する点のみを説明する。
【００２８】
ステップＳ１０１では、読取部３が、情報送信部１からの利用者ＩＤ情報を読み取り、読み取った利用者ＩＤ情報を外部情報記憶部３ｃに送信し、ステップＳ１０３Ｂへ進む。
【００２９】
ステップＳ１０３Ｂでは、外部情報記憶部３ｃで外部情報部２からの利用者予定情報を記憶するか否かを判断する。利用者予定情報を記憶した場合、ステップＳ１０４へ進む。利用者予定情報を記憶しない場合、ステップＳ１０２Ｂへ進む。
【００３０】
ステップＳ１０２Ｂでは、読み取った利用者ＩＤ情報と、行先階記憶部３ｂに記憶した利用者ＩＤ情報に対応する行先階情報により、利用者が該当する行先階を判定し、ステップＳ１０７で判定した行先階を行先階登録３ｅで登録する。
【００３１】
ステップＳ１０４から終了までの処理流れについて、図２の処理流れと同様であるため、ここでの説明を省略する。
【００３２】
なお、この実施の形態１において、上記の処理流れ以外、処理してもよい。
【００３３】
この実施の形態１によれば、登録する行先階は、固定されることがない。つまり、エレベータの呼び登録装置３は、読取った利用者ＩＤ情報により自動的に登録された行先階を変更できる。このため、利用者が自己操作（乗場での利用者操作用のボタンなど）で行先階を変更することなく、エレベータの呼び登録装置３が、自動的に変更する。この結果、利用者の利便性が向上する。また、乗場で利用者のボタン操作を不要とすることにより、登録変更の作業を短い時間で行うことができる。更に、利用者が乗場でボタン操作を失念した場合でも、利用者は予め登録された予定情報に対応する行先階に向かう。このため、利用者がスムーズに該当する行先階に行けると共に、無駄な階間の移動が減ることにより、エレベータの運行効率を上げることができる。この結果、利用者がエレベータのかごを待つ時間を短縮できる。
【００３４】
実施の形態２．
以下、図５を用いてこの発明の実施の形態２について説明する。なお、この実施の形態によりこの発明が限定されるものではない。
【００３５】
実施の形態１では、利用者予定情報から該当する行先階を判断した場合、利用者ＩＤ情報からいったん登録された行先階を利用者のスケジューラに対応する行先階に自動的に変更することができる。この実施の形態２では、外部情報部２からの利用者ＩＤ情報と情報送信部１に記憶した利用者ＩＤ情報と一致する場合、情報送信部１から利用者の行先階を外部情報部２が送信した利用者予定情報からの行先階に変更する。
【００３６】
図１の構成において、外部情報部２からの利用者予定情報の利用者ＩＤが、情報送信部１から読み取った利用者ＩＤと、一致する場合を以下に説明する。
【００３７】
この発明の実施の形態２におけるエレベータ呼び登録装置３の動作概略を図５の動作フローチャートを用いて実施の形態１からの変更点のみを説明する。
【００３８】
まず、実施の形態１で説明したとおり、ステップＳ１０１〜Ｓ１０３の処理が実行された後、ステップＳ２０１へ進む。ステップＳ２０１では、外部情報部２が送信した利用者予定情報の利用者ＩＤと、読取部が読取った利用者ＩＤとが、関連するか否かを判断する。利用者予定情報が利用者ＩＤ情報と関連する場合、ステップＳ２０２へ進む。利用者予定情報が利用者ＩＤ情報と関連しない場合、ステップＳ１０７へ進み、ステップＳ１０７で処理を実行し、終了する。
【００３９】
ステップＳ２０２では、利用者予定情報の利用者ＩＤと読取った利用者ＩＤとの情報内容が一致するか否かを判断する。利用者予定情報の利用者ＩＤが、情報送信部１から読み取られた利用者ＩＤと一致する場合、ステップＳ２０３へ進む。利用者予定情報の利用者ＩＤが、情報送信部１から読み取られた利用者ＩＤと異なる場合、ステップＳ１０７へ進み、ステップＳ１０７で処理を実行し、終了する。
【００４０】
ステップＳ２０３では、利用者予定情報から利用者の該当する行先階を判定し、ステップＳ１０６へ進み、そして、ステップＳ１０６、ステップＳ１０７の処理を順番に実行し、終了する。
【００４１】
この実施の形態２によれば、利用者予定情報の利用者ＩＤが、読取った利用者ＩＤと一致するか否かを確認し、利用者予定情報から該当する行先階に変更する。セキュリティが向上すると共に、利便性も向上し、運行効率を上げることができる。
【００４２】
実施の形態３．
以下、図を用いてこの発明の実施の形態３について説明する。なお、この実施の形態によりこの発明が限定されるものではない。
【００４３】
実施の形態１では、外部情報部２からの利用者予定情報に対応する行先階を判定し、利用者ＩＤ情報から登録された行先階を変更することができる。この実施の形態３では、外部情報部２から取得する行先階に対応する時間が想定可能な時間帯である場合、利用者ＩＤ情報から登録された行先階を変更する。想定可能な時間帯は、利用者が日常の行動の時間帯である。
【００４４】
図１の構成において、外部情報部２から取得する時間情報の行先階が想定可能な時間帯である場合を以下に説明する。
【００４５】
この発明の実施の形態３におけるエレベータ呼び登録装置３の動作概略は、図６の動作フローチャートを用いて同符号を付して実施の形態１からの変更点のみを説明する。
【００４６】
まず、実施の形態１で説明したとおり、ステップＳ１０１〜Ｓ１０３の処理が実行された後、ステップＳ３０１へ進む。ステップＳ３０１では、外部情報部２から取得する行先階に対応する時間が想定可能な時間帯である場合、ステップＳ１０６へ進む。行先階に対応する時間が想定不可能な時間帯である場合、ステップＳ１０７へ進み、ステップＳ１０７の処理を実行し、終了する。例えば、午前中の時間帯ならば、食堂階を行先階とする場合、想定不可能な時間帯である。昼の時間である場合、食堂階を行先階とする場合、想定可能な時間帯であるため、利用者ＩＤ情報から決定された行先階を食堂階に変更する。
【００４７】
この実施の形態３では、利用者の予定情報に対応する行先階は、利用者の日常の行動の時間帯である場合、読取った利用者ＩＤ情報から決定された行先階を変更する。この実施の形態３によれば、利便性が向上し、利用者がスムーズに行きたい行先階へ行くことができるため、無駄な階間の移動が減ることができる。
【００４８】
実施の形態４．
以下、図を用いてこの発明の実施の形態４について説明する。なお、この実施の形態によりこの発明が限定されるものではない。
【００４９】
この実施の形態４では、判定される行先階がエレベータの非サービス階である場合、行先階を事前設定された特定階に変更するものである。非サービス階とは、エレベータの制御盤４が、エレベータの管理者の都合等により、かごを停止させることができない階をいう。
【００５０】
判定される行先階が非サービス階であった場合、図１を用いて以下のとおり説明する。
【００５１】
この実施の形態４では、図１を示すエレベータの制御盤４と外部情報部２とを、両者間での情報の伝達を可能にするため、無線、有線により連結することを特徴とする。なお、例えば、エレベータの制御盤４と行先階変更部３ｄとを連結してもよい。
【００５２】
３ｃは、エレベータの制御盤４が送信したエレベータ運行情報を検知する外部情報記憶部である。エレベータの制御盤４は、外部情報部２を介して外部情報記憶部３ｃにエレベータの運行情報を送信する。エレベータ運行情報は、非サービス階の運行情報であり、例えば、このエレベータが２階から１０階まで止まらないなどの情報である。
【００５３】
次に、この発明の実施の形態４の動作を図７のフローチャートを用いて説明する。なお、実施の形態１の図２と同符号は、実施の形態１で説明した動作、処理と同じである。
【００５４】
まず、ステップＳ１０１、ステップＳ１０２の処理が実施された後、ステップＳ４０１へ進む。ステップＳ４０１では、外部情報記憶部３ｃにエレベータの非サービス階の運行情報が記憶されているか否かを判断する。非サービス階の運行情報がある場合、ステップＳ４０２へ進む。非サービス階の運行情報がない場合、ステップＳ１０７へ進み、利用者ＩＤ情報から登録された行先階を登録して終了する。
【００５５】
ステップ４０２では、利用者の行先階が、エレベータの制御盤４からの運行情報である非サービス階と一致するか否かを判断する。一致する場合、ステップＳ４０３へ進む。一致しない場合、ステップＳ１０７へ進む。
【００５６】
ステップＳ４０３では、利用者の行先階がエレベータの制御盤４からのエレベータ運行情報である非サービス階であるため、利用者の行先階を事前設定された特定階に変更する。例えば、事前設定された特定階は受付階等であり、利用者ＩＤ情報により決定された行先階を受付階に変更する。ステップＳ１０７へ進み、行先階登録部３ｅで行先階を登録して終了する。
【００５７】
この実施の形態４は、利用者ＩＤ情報から決定した行先階がエレベータの運行情報ではない場合、事前設定された特定階に変更するものである。また、利用者ＩＤ情報からの行先階はエレベータの運行情報であるか否かを判断することではなく、利用者予定情報から判定した行先階はエレベータの運行情報であるか否かを判断し、行先階を変更することも可能である。
【００５８】
この実施の形態４によれば、利用者ＩＤ情報から決定した行先階が、エレベータの運行情報ではない場合、予め設定された行先階（例えば受付階）に自動的に変更できる。
【００５９】
実施の形態５．
この実施の形態５は、エレベータ呼び登録装置３は、さらに、上記の実施の形態１〜実施の形態４における利用者ＩＤ情報から決定した行先階を変更する際に変更理由、変更される階床を報知する報知部を備える。図１において、行先階変更部３ｄに、表示器、アナウンスなどを接続する。接続することにより、表示器などの機器が変更理由、及び変更後の行先階を利用者にエレベータのかご内またはエレベータの乗場で報知する。ここで、表示器に表示させる方法、アナウンスするといった周知の方法は、実現方法として詳細な説明を省略する。
【００６０】
なお、実施の形態１は、上記の実施の形態２から実施の形態４までの任意の実施の形態の外部情報と組み合わせても実施できる。
【００６１】
また、実施の形態１から実施の形態５までのエレベータの呼び登録装置を備えるエレベータに利用することができる。
【００６２】
実施の形態６．
この実施の形態６では、上記の実施の形態１から実施の形態４に記載のエレベータ呼び登録装置３を利用するエレベータの制御装置、エレベータの制御方法について説明する。
【００６３】
利用者ＩＤ情報が認証された利用者がエレベータに乗車する際、利用者が自己のスケジュールを失念し、乗場等の設置された行先階変更装置の操作を怠る場合がある。この場合、エレベータのかごは、利用者ＩＤ情報に対応する階に停止する。利用者は、スケジュールを実行するため、更に新たな階（スケジュールを実行するための階）を登録してエレベータのかごに乗車する。このため、朝、夕のエレベータの混雑時にはエレベータの待ち時間が短くなる。
【００６４】
本実施の形態６では、実施の形態１、実施の形態２、実施の形態３、実施の形態４、または実施の形態５のエレベータの呼び登録装置を、エレベータ制御装置、エレベータ制御方法に利用することにより、利用者の利便性を図るとともに、エレベータの利用者の待ち時間を短縮できる。
【００６５】
本実施の形態６の構成および動作は次の通りである。
【００６６】
利用者の識別情報を読取る読取部を備える。読取部は、実施の形態１、図１および図３に記載の情報送信部１および読取部３aで構成される。実施の形態１、図１および図３の前記読取部３aが利用者の識別情報を読取る前に、各利用者の識別情報に対応する行先階が記憶された行先階記憶部３ｂを備える。行先階記憶部３ｂは、実施の形態１、図１および図３に記載のものと同一の構成および動作である。
【００６７】
前記読取部３aが利用者の識別情報を読取る前に、利用者の予定情報に対応する行先階が記憶された外部情報記憶部３ｃを備える。行先階記憶部３ｃは、実施の形態１、図１および図３に記載のものと同一の構成および動作である。
【００６８】
エレベータの制御部は、図１および図３に示す通り行先階登録部３eに接続し、エレベータのかごの動きを制御する。ここで、エレベータの制御部は図１及び図３のエレベータ制御盤４である。エレベータの制御部４の動作は、図２、図４、図５、図６、図７のエレベータの呼び登録装置３の動作、処理にもとづき、行先階登録部３eに登録された登録階にかごを停止させる。
【００６９】
例えば、エレベータの制御部４は、記行先階記憶部３ｂに記憶された行先階、または外部情報記憶部３ｃに記憶された行先階にエレベータのかごを停止させる。
【００７０】
具体的には、前記読取部３aが前記利用者の識別情報を読取った際に、前記読取った前記利用者の乗車時の予定に対応する行先階が外部情報記憶部３ｃに記憶されている場合には、エレベータの制御部４は、前記利用者の予定に対応する行先階にエレベータのかごを停止させる。
【００７１】
一方、前記読取った前記利用者の乗車時の予定に対応する行先階が外部情報記憶部３ｃに記憶されていない場合には、エレベータの制御部４は、前記利用者の識別情報に対応する行先階に前記エレベータのかごを停止させる。
【産業上の利用可能性】
【００７２】
この発明は、行先階を登録するエレベータに適用する。
【符号の説明】
【００７３】
１  情報送信部、２  外部情報部、３  エレベータの呼び登録装置、３ａ  読取部、３ｂ  行先階記憶部、３ｃ  外部情報記憶部、３ｄ  行先階変更部、３ｅ  行先階登録部、４  エレベータの制御盤
【図１】
2016060576.tif 000003
【図２】
2016060576.tif 000004
【図３】
2016060576.tif 000005
【図４】
2016060576.tif 000006
【図５】
2016060576.tif 000007
【図６】
2016060576.tif 000008
【図７】
2016060576.tif 000009